(57)【要約】【課題】コンテンツをネットワーク経由で配信する機能に関する使い勝手を向上させたコンテンツ配信装置を提供することである。【解決手段】コンテンツをネットワーク経由で端末装置へ配信する通信部と、配信中において配信中には実行できない動作を開始する際、設定された優先情報に応じて、配信停止の許可を求めるメッセージを出力するか、前記メッセージを出力せずに配信を停止するかを切替えるように制御する制御部と、を備えたコンテンツ配信装置とする。【選択図】図１
2014175695.tif 000002
【特許請求の範囲】
【請求項１】
コンテンツをネットワーク経由で端末装置へ配信する通信部と、
配信中において配信中には実行できない動作を開始する際、設定された優先情報に応じて、配信停止の許可を求めるメッセージを出力するか、前記メッセージを出力せずに配信を停止するかを切替えるように制御する制御部と、を備えたコンテンツ配信装置。
【請求項２】
前記優先情報は、端末装置優先かコンテンツ配信装置優先かを設定可能であり、前記制御部は、前記端末装置優先か前記コンテンツ配信装置優先かに応じて前記切り替えを行うことを特徴とする請求項１記載のコンテンツ配信装置。
【請求項３】
前記配信中には実行できない動作は、高処理負荷の動作と機能の設定変更の少なくともいずれかを含むことを特徴とする請求項１又は請求項２記載のコンテンツ配信装置。
【請求項４】
前記高処理負荷の動作とは、光ディスクの再生動作、ダビング動作、編集動作、録画動作の少なくともいずれかを含むことを特徴とする請求項３記載のコンテンツ配信装置。
【請求項５】
前記制御部は、配信前に前記優先情報の設定を受け付けることを特徴とする請求項１〜請求項４のいずれか１項記載のコンテンツ配信装置。
【請求項６】
前記メッセージは、前記優先情報を設定変更する選択肢を含んでいることを特徴とする請求項１〜請求項５のいずれか１項記載のコンテンツ配信装置。
【請求項７】
前記制御部は、前記メッセージにおいて許可された後であって配信を停止する前に、前記端末装置へ配信を停止する旨のメッセージを出力するように制御することを特徴とする請求項１〜６のいずれか１項記載のコンテンツ配信装置。
【請求項８】
前記制御部は、前記配信中には実行できない動作が終了した後に、配信を再開するように制御することを特徴とする請求項１〜７のいずれか１項記載のコンテンツ配信装置。
【請求項９】
前回停止したコンテンツの続きから前記配信を再開することを特徴とする請求項８記載のコンテンツ配信装置。
【請求項１０】
前記制御部は、前記配信中には実行できない動作が終了した後に、前記端末装置へ前回停止したコンテンツの続きから配信を再開するか、前回停止したコンテンツの最初から配信を再開するかの選択を促すように制御することを特徴とする請求項８又は請求項９記載のコンテンツ配信装置。
【請求項１１】
コンテンツの録画機能を備え、
前記制御部は、配信を開始する際、配信するコンテンツの再生と予約録画とが重なるか否かを判定する判定部を備え、前記判定部により重なると判定されると前記端末装置へ配信が途中で停止する可能性がある旨のメッセージを出力するように制御することを特徴とする請求項１〜請求項１０のいずれか１項記載のコンテンツ配信装置。
【請求項１２】
コンテンツをネットワーク経由で端末装置へ配信するステップと、
配信中において配信中には実行できない動作を開始する際、設定された優先情報に応じて、配信停止の許可を求めるメッセージを出力するか、前記メッセージを出力せずに配信を停止するかを切替えるように制御するステップと、を含むコンテンツ配信方法。
【発明の詳細な説明】
【技術分野】
【０００１】
本発明は、コンテンツをネットワーク経由で配信する機能を有したコンテンツ配信装置に関する。
【背景技術】
【０００２】
近年、テレビ放送を録画し、録画したコンテンツを家庭内のネットワークを経由してテレビ受像機等の端末装置に配信する機能、いわゆるホームサーバー機能を備えたレコーダー（録画再生装置）が増えつつある（特許文献１参照）。
【０００３】
このような録画再生装置を利用すれば、複数の端末装置で録画したコンテンツを共有でき、複数のユーザー間で録画したコンテンツを共有できる。
【０００４】
また特許文献２には、所定のチャンネルが割り付けられた複数の配信元のうちの所定の１つから配信されて記録された複数の記録コンテンツについて、それらの再生を制御する情報処理装置において、複数の前記記録コンテンツのうちの第１の記録コンテンツの再生を制御している間に、その再生停止の指示がなされたとき、その再生停止の指示タイミングにおける前記情報処理装置内の現在時刻を停止指示時刻として、複数の前記記録コンテンツのうちの、前記停止指示時刻を録画時間帯に含む第２の記録コンテンツを、前記停止指示時刻に対応する位置から再生させることを制御する再生制御手段を備える構成が開示されている。
【先行技術文献】
【特許文献】
【０００５】
【特許文献１】特開２０１１−７１６６９号公報
【特許文献２】特開２００７−１１０６６０号公報
【発明の概要】
【発明が解決しようとする課題】
【０００６】
しかしながら、このような録画再生装置や情報処理装置は、同時に配信できる端末装置の数や同時に行える動作の種類に制限がある。例えば、制限される動作としては、配信中にダビング、録画、光ディスクの再生、外部記録媒体の再生などがある。そして、配信中にこれらの動作を開始する場合は配信を停止しなければならない。
【０００７】
配信を停止する場合、配信する側の装置に配信を停止してよいかどうかを確認するメッセージを表示してユーザーの選択を促すのが一般的である。しかし、配信中は何度もこのメッセージが表示されることがあるため、配信する側の装置を使用しているユーザーは煩わしく、また配信されている側の状況がわからず配信を停止させてよいかどうかの判断に迷うこともある。
【０００８】
本発明は、コンテンツをネットワーク経由で配信する機能に関する使い勝手を向上させたコンテンツ配信装置を提供することを目的とする。
【課題を解決するための手段】
【０００９】
上記目的を達成するために本発明は、コンテンツをネットワーク経由で端末装置へ配信する通信部と、配信中において配信中には実行できない動作を開始する際、設定された優先情報に応じて、配信停止の許可を求めるメッセージを出力するか、前記メッセージを出力せずに配信を停止するかを切替えるように制御する制御部と、を備えたコンテンツ配信装置とする。
【００１０】
この構成によれば、優先情報の設定によっては前記メッセージを出力せずに配信を停止するので、コンテンツ配信装置側のユーザーは配信を停止することに気付くことがなく使い勝手が良い。また、コンテンツ配信装置側のユーザーは端末装置側の状況がわからず配信を停止させてよいかどうかの判断に迷うこともなく使い勝手が良い。また、優先情報の設定によっては、前記メッセージを出力することもでき、勝手に配信が停止されることを防止できるので、より利便性が高い。
【００１１】
また、上記構成において、前記優先情報は、端末装置優先かコンテンツ配信装置優先かを設定可能であり、前記制御部は、前記端末装置優先か前記コンテンツ配信装置優先かに応じて前記切り替えを行うこととしてもよい。
【００１２】
また、前記配信中には実行できない動作は、高処理負荷の動作と機能の設定変更の少なくともいずれかを含むこととしてもよい。そして、前記高処理負荷の動作とは、光ディスクの再生動作、ダビング動作、編集動作、録画動作の少なくともいずれかを含むこととしてもよい。
【００１３】
また上記構成において、前記制御部は、配信前に前記優先情報の設定を受け付けるようにすることとしてもよい。この構成によれば、配信中に優先情報の設定を行わなくてよいので使い勝手が良い。
【００１４】
また上記構成において、前記メッセージは、前記優先情報を設定変更する選択肢を含んでいてもよい。この構成によれば、メッセージが出力された時点で優先情報切り替えることができ、今後このメッセージが出力されないようにすることができる。
【００１５】
また上記構成において、前記制御部は、前記メッセージにおいて許可された後であって配信を停止する前に、前記端末装置へ配信を停止する旨のメッセージを出力するように制御してもよい。この構成によれば、配信を停止することを端末装置側のユーザーに知らせることができ、配信が停止したときにユーザーは機器の故障でないことがわかる。
【００１６】
また上記構成において、前記制御部は、前記配信中には実行できない動作が終了した後に、配信を再開するように制御してもよい。その場合、前回停止したコンテンツの続きから前記配信を再開するようにしてもよい。もしくは、前記制御部は、前記配信中には実行できない動作が終了した後に、前記端末装置へ前回停止したコンテンツの続きから配信を再開するか、前回停止したコンテンツの最初から配信を再開するかの選択を促すように制御してもよい。
【００１７】
この構成によれば、端末装置側のユーザーは逐一配信可能となったかを確認する必要がなく、使い勝手が良い。
【００１８】
また上記構成において、コンテンツの録画機能を備え、前記制御部は、配信を開始する際、配信するコンテンツの再生と予約録画とが重なるか否かを判定する判定部を備え、前記判定部により重なると判定されると前記端末装置へ配信が途中で停止する可能性がある旨のメッセージを出力するように制御してもよい。この構成によれば、配信中に録画開始によって配信が停止しても、端末装置のユーザーに混乱は生じない。
【発明の効果】
【００１９】
本発明によると、優先情報の設定によっては、コンテンツ配信装置側のユーザーは配信を停止することに気付くことがなく使い勝手が良い。また、コンテンツ配信装置側のユーザーは端末装置側の状況がわからず配信を停止させてよいかどうかの判断に迷うこともなく使い勝手が良い。また、優先情報の設定によっては、勝手に配信が停止されることを防止できるので、より利便性が高い。
【図面の簡単な説明】
【００２０】
【図１】本発明の一実施形態のＨＤＤ一体型光ディスク装置の構成及びその周辺機器を示すブロック図である。
【図２】本発明のＨＤＤ一体型光ディスク装置の配信に関する動作を示すフローチャートである。
【図３】図２の続きを示す図である。
【図４】本発明の一実施形態であるＯＳＤ画面を示す図である。
【図５】本発明の一実施形態であるＯＳＤ画面を示す図である。
【図６】本発明の一実施形態であるＯＳＤ画面を示す図である。
【図７】本発明の一実施形態であるＯＳＤ画面を示す図である。
【図８】本発明の一実施形態であるＯＳＤ画面を示す図である。
【図９】本発明の別実施形態に係る配信開始に関する動作を示すフローチャートである。
【図１０】ネットワークに複数の端末装置が接続されている例を示すブロック図である。
【発明を実施するための形態】
【００２１】
＜第１実施形態＞
以下、本発明のコンテンツ配信装置の一例として、デジタルテレビ放送を受信して録画できるとともに、録画したコンテンツ（例えば、番組）を端末装置へ配信できるハードディスクドライブ（ＨＤＤ）一体型光ディスク装置を用いて説明する。
【００２２】
図１は、ＨＤＤ一体型光ディスク装置１０の構成及びその周辺機器を示すブロック図である。ＨＤＤ一体型光ディスク装置１０には、テレビジョン受像機等の表示装置１１と、ネットワーク１２と、アンテナ１４とが接続されている。以下では、ネットワーク１２は家庭内ＬＡＮ（Local Area Network）であるとして説明する。またＨＤＤ一体型光ディスク装置１０は、リモコン１３によって操作可能である。
【００２３】
ＨＤＤ一体型光ディスク装置１０はチューナ１６と、映像／音声圧縮伸長部１７と、ＨＤＤ記録再生部１８と、ＢＤ／ＤＶＤ記録再生部１９と、ＯＳＤ部２０と、映像出力部２１と、音声出力部２２と、メモリ２３と、リモコン受信部２４と、通信部２５と、外部Ｉ／Ｆ２７と、制御部２６とを備えている。
【００２４】
チューナ１６は、アンテナ１４で受信したデジタルテレビ放送信号を復調、デジタル化する。映像／音声圧縮伸長部１７は、チューナ１６から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする。
【００２５】
ＨＤＤ記録再生部１８は、映像／音声圧縮伸長部１７から受け取った圧縮された映像／音声データをＨＤＤに記録したり、ＨＤＤに記録されたデータを再生したりする。ＢＤ／ＤＶＤ記録再生部１９は、映像／音声圧縮伸長部１７から受け取った圧縮された映像／音声データを挿入されたＤＶＤ又はＢＤに記録したり、ＤＶＤ又はＢＤに記録されたデータを再生したりする。
【００２６】
ＯＳＤ部２０は、配信に関する設定をはじめとする各種設定値を表示装置１１の一部に表示しながら設定できるようにする。映像出力部２１は、ＯＳＤ部２０からの映像信号をアナログ化し、表示装置１１へ出力する。音声出力部２２は、映像／音声圧縮伸長部１７からの音声信号をアナログ化し、表示装置１１へ出力する。メモリ２３は、ＲＯＭやＲＡＭからなる。リモコン受信部２４は、リモコン１３からの信号を受信する。
【００２７】
通信部２５は、ネットワーク１２との接続を行い、ＨＤＤ記録再生部１８又はＢＤ／ＤＶＤ記録再生部１９等に記憶されているコンテンツをネットワーク１２経由で端末装置（不図示）へ配信する。端末装置としては、ネットワーク１２を介してＨＤＤ一体型光ディスク装置１０と通信する機能を有するものを用いることができる。ネットワーク１２に端末装置は複数繋がっていてもよい。
【００２８】
外部Ｉ／Ｆ２７は、外部装置が接続される外部入力端子等からなる。外部装置としては、ケーブルテレビや衛星放送等のセットトップボックス、ビデオデッキ等の録画再生装置、メモリスティックやメモリカード等の記録媒体などが挙げられる。
【００２９】
制御部２６は、ＨＤＤ一体型光ディスク装置１０の各部を制御する。例えば、制御部２６は、配信中において配信中には実行できない動作を開始する場合、端末装置優先に設定されている場合は出力部（映像出力部２１及び／又は音声出力部２２）から配信停止の許可を求めるメッセージを出力し、ユーザーの操作によって許可された場合に配信を停止するように制御し、一方、ＨＤＤ一体型光ディスク装置優先に設定されている場合は前記メッセージを出力せずに配信を停止するように制御する。以下に、この制御について詳しく説明する。
【００３０】
なお、配信中には実行できない動作とは、処理負荷が高い動作や各種機能の設定変更などがある。具体的には各装置の仕様によって異なるが、例えば、光ディスクの再生、ダビング、編集、録画、外部装置の再生、ネットワークの設定変更、他の端末装置への配信などが挙げられる。
【００３１】
図２は、ＨＤＤ一体型光ディスク装置１０の配信に関する動作を示すフローチャートであり、図３は図２の続きである。まず、ステップＳ１０において、制御部２６は端末装置から所望のコンテンツの配信の要求があったか否かを判別する。ステップＳ１０において、配信の要求があった場合、ステップＳ１１へ進んで、制御部２６は配信するコンテンツの再生と録画予約とが重なるか否かを判別する。
【００３２】
ステップＳ１１において重なると判別した場合は、ステップＳ１２へ進んで配信が途中で停止する可能性がある旨のメッセージと、それでも配信を開始するか否かの選択肢とを通信部２５から端末装置へ出力する。これにより、配信を開始させて配信中に録画開始によって配信が停止したとしても、端末装置のユーザーに混乱は生じない。
【００３３】
例えば、図４に示すようなＯＳＤ画面４０が表示される。ＯＳＤ画面４０には、「録画予約時間と重なるため配信が途中で停止する可能性があります。配信を開始しますか？」というメッセージが表示されるとともに、「はい」又は「いいえ」が選択決定可能に表示される。ユーザーは「はい」又は「いいえ」にカーソルを当てた状態で決定キーを押下することができる。
【００３４】
ステップＳ１１において重ならないと判別した場合は、ステップＳ１３へ進んで配信を開始する。また、ステップＳ１２において配信を開始する旨の選択肢が選択された場合、つまりＯＳＤ画面４０において「はい」が選択された場合も、ステップＳ１３へ進んで配信を開始する。
【００３５】
一方、ステップＳ１２において配信を開始しない旨の選択肢が選択された場合、つまりＯＳＤ画面４０において「いいえ」が選択された場合、ステップＳ１４へ進む。ステップＳ１４では、録画が終わったときに配信可能になったことを知らせるメッセージを受け取るか否かのメッセージと、その選択肢とを通信部２５から端末装置へ出力する。
【００３６】
例えば、図５に示すようなＯＳＤ画面５０が表示される。ＯＳＤ画面５０には、「録画終了時に知らせますか？」というメッセージが表示されるとともに、「はい」又は「いいえ」が選択決定可能に表示される。ユーザーは「はい」又は「いいえ」にカーソルを当てた状態で決定キーを押下することができる。
【００３７】
ステップＳ１４においてメッセージを受け取る旨の選択肢が選択された場合、つまりＯＳＤ画面５０において「はい」が選択された場合、ステップＳ１５へ進んで制御部２６は録画終了時に端末装置へメッセージを出力するように記憶する。そして、録画終了時には端末装置へメッセージを出力するようにする。
【００３８】
ステップＳ１３からはステップＳ１６へ進んで配信中には実行できない動作を開始するように指示されたか否かを判別する。この指示は、ユーザーがリモコンを操作し、所望の配信中には実行できない動作の実行を選択したときに生じる。ステップＳ１６において指示がなかった場合はステップＳ２２へ進む。ステップＳ２２ではコンテンツが終了したか否かを判別し、コンテンツが終了すればステップＳ２３へ進んで配信を終了し、一方、コンテンツが終了していない場合は、ステップＳ１６に戻る。
【００３９】
一方、ステップＳ１６において指示があった場合、ステップＳ１７へ進んで端末装置優先に設定されているかＨＤＤ一体型光ディスク装置優先に設定されているかを判別する。制御部２６は、メニュー画面等において、配信前に端末装置優先又はＨＤＤ一体型光ディスク装置優先のどちらに設定するかを受け付ける。すなわち、ユーザーはメニュー画面から端末装置優先とＨＤＤ一体型光ディスク装置優先とをいつでも切り替えることができる。これにより、配信中にそれらの設定を行わなくてよいので使い勝手が良い。
【００４０】
ステップＳ１７で端末装置優先に設定されている場合、ステップＳ１８へ進んで表示装置１１へ配信停止の許可を求めるメッセージを出力する。このメッセージは、ＨＤＤ一体型光ディスク装置優先に設定変更する選択肢を含んでいてもよい。この設定変更する選択肢により、メッセージが出力された時点でＨＤＤ一体型光ディスク装置優先に切り替えることができ、今後このメッセージが出力されないようにすることができる。
【００４１】
例えば、図６に示すようなＯＳＤ画面６０が表示される。ＯＳＤ画面６０には、「この操作により、コンテンツの配信を停止します。よろしいですか？」というメッセージが表示されるとともに、「はい」、「いいえ」又は「はい、今後は確認しません。」が選択決定可能に表示される。「はい、今後は確認しません。」という選択肢は、上記のＨＤＤ一体型光ディスク装置優先に設定変更する選択肢である。ユーザーは「はい」、「いいえ」又は「はい、今後は確認しません。」にカーソルを当てた状態で決定キーを押下することができる。
【００４２】
ステップＳ１８において配信停止が許可された場合、つまりＯＳＤ画面６０において「はい」又は「はい、今後は確認しません。」が選択された場合、ステップＳ１９へ進んで端末装置へ配信を停止する旨のメッセージを出力する。このメッセージは数秒で自動的に消えるようにする。これにより、配信を停止することを端末装置側のユーザーに知らせることができ、配信が停止したときにユーザーは機器の故障でないことがわかる。例えば、端末装置に図７に示すようなＯＳＤ画面７０が表示される。ＯＳＤ画面７０には、「配信側の動作制限により配信を停止します。」というメッセージが表示される。その後、ステップＳ１９からステップＳ２０へ進んでＨＤＤ一体型光ディスク装置は配信を停止する。
【００４３】
一方、ステップＳ１８において配信停止が許可されなかった場合、つまりＯＳＤ画面６０において「いいえ」が選択された場合、ステップＳ２１へ進んでステップＳ１６で受け付けた動作指示を実行しないようにし、配信を継続する。ステップＳ２１からはステップＳ２２へ進んでコンテンツが終了したか否かを判別し、コンテンツが終了すればステップＳ２３へ進んで配信を終了し、一方、コンテンツが終了していない場合は、ステップＳ１６に戻る。
【００４４】
一方、ステップＳ１７でＨＤＤ一体型光ディスク装置優先に設定されている場合、ステップＳ１７からステップＳ１９へ進み、続いてステップＳ２０へ進む。このように、ＨＤＤ一体型光ディスク装置優先に設定されている場合、表示装置１１へ配信停止の許可を求めるメッセージを出力せずに配信を停止する。よって、表示装置１１を見ているユーザーは配信を停止することに気付くことがなく、また配信されている側の状況がわからず配信を停止させてよいかどうかの判断に迷うこともなく、使い勝手が良い。
【００４５】
ステップＳ２０からはステップＳ２４へ進んで配信中には実行できない動作が終了したか否かを判別する。実行中の動作が終了すると、ステップＳ２４からステップＳ２５へ進んで端末装置へ前回停止したコンテンツの続きから配信を再開するか、前回停止したコンテンツの最初から配信を再開するかの選択を促す。これにより、端末装置側のユーザーは逐一配信可能となったかを確認する必要がなく、使い勝手が良い。
【００４６】
例えば、図８に示すようなＯＳＤ画面８０が表示される。ＯＳＤ画面８０には、「配信側の動作制限が解除されました。どこから配信を再開しますか？」というメッセージが表示されるとともに、「続きから再生」又は「最初から再生」が選択決定可能に表示される。ユーザーは「続きから再生」又は「最初から再生」にカーソルを当てた状態で決定キーを押下することができる。
【００４７】
ステップＳ２５において前回停止したコンテンツの続きから配信を再開することが選択された場合、つまりＯＳＤ画面８０において「続きから再生」が選択された場合、ステップＳ２６へ進んでそのコンテンツの続きから配信を再開する。
【００４８】
一方、ステップＳ２５において前回停止したコンテンツの最初から配信を再開することが選択された場合、つまりＯＳＤ画面８０において「最初から再生」が選択された場合、ステップＳ２７へ進んでそのコンテンツの最初から配信を再開する。ステップＳ２６及びステップＳ２７からはステップＳ１６に戻る。
【００４９】
なお、ステップＳ２５を省略し、配信中には実行できない動作が終了した後に、ステップＳ２４からステップＳ２６又はステップＳ２７へ直接進むようにしてもよい。ステップＳ２６へ進むかステップＳ２７へ進むかは予めメニュー画面等で設定できるようにすればよい。
【００５０】
なお、上記の実施形態において、ステップＳ１１、Ｓ１２、Ｓ１４、Ｓ１５、Ｓ１９、Ｓ２４、Ｓ２５、Ｓ２６、Ｓ２７は必須ではない。どのステップを省いた形態とするかは、可能な範囲で適宜組み合わせることができる。また、ステップＳ１８を省略し、端末装置優先に設定されている場合、ステップＳ１７からステップＳ２１へ直接進むようにしてもよい。
【００５１】
なお、上記のＨＤＤ一体型光ディスク装置１０において、少なくともコンテンツを記憶する記憶部（ＨＤＤ記録再生部１８、ＢＤ／ＤＶＤ記録再生部１９）を外部装置として別体とすることで、ＨＤＤ一体型光ディスク装置１０を再生装置とすることができる。
【００５２】
＜第２実施形態＞
第１実施形態において図２に示したフローチャートの変形例を図９に示す。本フローチャートでは、図２のステップＳ１０（図３ではＳ３０）とステップＳ１１（図３ではＳ３２）の間に、ステップＳ３１として、配信を実行できない動作の実行中であるか否かを判定する。配信を実行できない動作とは、処理負荷が高い動作や各種機能の設定変更などである。具体的には、光ディスクの再生、ダビング、編集、録画、外部装置の再生、ネットワークの設定変更などが挙げられる。
【００５３】
ステップＳ３１で配信を実行できない動作の実行中である場合は、ステップＳ３５へ進み、当該動作（光ディスク再生など）が終わったときに配信可能になったことを知らせるメッセージを受け取るか否かのメッセージと、その選択肢とを通信部２５から端末装置へ出力する。
【００５４】
ステップＳ３５においてメッセージを受け取る旨の選択肢が選択された場合、ステップＳ３６へ進み、制御部２６は上記動作終了時に端末装置へメッセージを出力するように記憶する。そして、上記動作終了時には端末装置へメッセージを出力する。
【００５５】
一方、ステップＳ３１で配信を実行できない動作を実行していない場合は、ステップＳ３２へ進み、図２のステップＳ１１と同様、配信するコンテンツと録画予約とが重なるか否かを判定する。以降は、図２の処理と同様である。
【００５６】
＜第３実施形態＞
ＨＤＤ一体型光ディスク装置１０は、図１０に示すように、ネットワーク１２を介して複数の端末装置（図１０の例では端末装置Ａ、Ｂ及びＣ）が接続されてもよい。
【００５７】
この場合、ＨＤＤ一体型光ディスク装置１０には、複数の各端末装置に対して共通の優先設定がなされることとしてもよい。即ち、図１０の例であれば、端末装置Ａ、Ｂ及びＣのいずれへの配信を実行中であっても、図３のステップＳ１７で端末装置優先に設定されていれば、ステップＳ１８で表示装置１１へ配信停止の許可を求めるメッセージを出力し、ＨＤＤ一体型光ディスク装置優先に設定されていれば、表示装置１１へ上記メッセージを出力せずに配信を停止する。
【００５８】
または、複数の各端末装置ごとに優先設定を行えるようにしてもよい。即ち、図１０の例であれば、例えば端末装置Ａ及びＣに対してはＨＤＤ一体型光ディスク装置優先に設定され、端末装置Ｂに対しては端末装置優先に設定される。そして、図３のステップＳ１７では、現在配信をしている相手先の端末装置に応じて優先設定を判定すればよい。
【符号の説明】
【００５９】
１０  ＨＤＤ一体型光ディスク装置（コンテンツ配信装置）
１２  ネットワーク
２１  映像出力部
２２  音声出力部
２５  通信部
２６  制御部
【図１】
2014175695.tif 000003
【図２】
2014175695.tif 000004
【図３】
2014175695.tif 000005
【図４】
2014175695.tif 000006
【図５】
2014175695.tif 000007
【図６】
2014175695.tif 000008
【図７】
2014175695.tif 000009
【図８】
2014175695.tif 000010
【図９】
2014175695.tif 000011
【図１０】
2014175695.tif 000012